(57)【要約】【課題】軽量化、長尺化を図り、鋏式、ペンホルダ式、シェイクハンド式のグリップを可能とする。【解決手段】中心軸Ｌ１に対して略対称な二本の脚部１１ａ，１１ｂからなる手術器具１０であって、脚部が一端１０ａ側の挟持部１３と他端１０ｂ側の環指孔１４ａ，１４ｂとを有し、回動軸部１２によって挟持部を開閉可能として脚部が枢着され、他端側に脚部を延長した曲線よりも外側位置として環指孔が設けられ、脚部の間に係合部１６とバネ１７とが設けられ、二本の脚部における中心軸Ｌ１に沿った中央部が把持部１５とされる。【選択図】図１
2020130571.tif 000002
【特許請求の範囲】
【請求項１】
中心軸に対して略対称として同一平面内を往復動作可能な二本の脚部からなる手術器具であって、
二本の前記脚部が、それぞれ一端側の挟持部と他端側の環指孔とを有し、
二本の前記脚部が、前記一端側に近接する位置に設けられて前記平面と略直交する方向に延在する軸線を有する回動軸部によって、前記中心軸に対して前記環指孔と反対向きに前記挟持部を開閉可能として枢着され、
二本の前記脚部が、前記一端側と前記他端側とに比べて前記中心軸に沿った方向での中央部における互いの離間距離が拡大するように湾曲し、
前記環指孔が、前記中央部から前記他端側に向かう前記脚部を延長した曲線よりも前記中心軸に対して外側位置として前記平面内に延在して設けられ、
二本の前記脚部の間には、前記他端側に近接する位置に前記挟持部の閉位置において二本の前記脚部どうしを係合可能とする係合部が設けられ、
二本の前記脚部の間には、前記回動軸部よりも前記他端側に近接する位置に前記脚部を互いに離間する方向に付勢するバネが設けられ、
二本の前記脚部における前記中央部が、前記一端側と前記他端側とに比べて前記平面と略直交する方向に幅広な把持部とされる
ことを特徴とする手術器具。
【請求項２】
前記脚部の前記他端側において、前記環指孔の前記一端側が前記中心軸から離間する外側向きに延在する部分を有する
ことを特徴とする請求項１記載の手術器具。
【請求項３】
前記脚部の前記他端側において、前記環指孔と前記係合部との間となる前記中心軸に沿った方向に延在する後延長部を有する
ことを特徴とする請求項１または２記載の手術器具。
【請求項４】
前記挟持部が、前記平面から交差する方向に向かって湾曲する
ことを特徴とする請求項１から３のいずれか記載の手術器具。
【請求項５】
前記把持部における前記中心軸に対する外側面には、前記中心軸と交差する方向に延在する複数の把持容易溝が形成される
ことを特徴とする請求項１から４のいずれか記載の手術器具。
【請求項６】
前記把持部には、前記中心軸に対する外側面に前記中心軸と交差する方向に延在する複数の把持容易溝が形成され、
前記挟持部が、前記平面から交差する方向に湾曲し、
前記把持容易溝の延在する方向が、前記挟持部の先端が湾曲する方向に傾斜している
ことを特徴とする請求項１から５のいずれか記載の手術器具。
【請求項７】
前記係合部が、前記中心軸に沿った方向において前記把持部と一致する位置に設けられる
ことを特徴とする請求項１から６のいずれか記載の手術器具。
【請求項８】
チタン合金またはカーボングラファイトを含む材料からなる
ことを特徴とする請求項１から７のいずれか記載の手術器具。
【請求項９】
前記中心軸に沿った長さが１８０ｍｍ以上とされる
ことを特徴とする請求項１から８のいずれか記載の手術器具。
【発明の詳細な説明】
【技術分野】
【０００１】
本発明は手術器具に関し、特に、形成外科手術等における縫合用縫合針の把持に用いる持針器に用いて好適な技術に関する。
【背景技術】
【０００２】
医療分野における外科的手術に用いられる外科用デバイスには様々なものがあるが、手術の際に用いる縫合用針を把持するものとして持針器があり、代表的なものとして、ヘガール型持針器（特許文献１，図１）とマチュー型持針器（特許文献１、図３）が知られている。
【０００３】
ヘガール型持針器では、図９に示す鋏式に、環指孔に指を掛けた状態で把持し、縫合をおこなう。
ヘガール型持針器では、柄が長い形状をしているため、術野の視野が得られやすく操作性が良いため、マチュー型持針器より好んで使われている。
【０００４】
一方、マチュー型持針器は、把持部となる２つの脚を有し、それらの間に外側に向く力を提供するバネを備え、ヘガール型における環指孔の代わりに、脚は持針部が設けられる端部と反対側の端部において係止部材に連結されるため、グリップを変えることなく針を把持または解放することができる。
マチュー型持針器は、図１０に示すペンホルダ式、あるいは、図１１に示すシェイクハンド式に把持部を把持して穿刺する。これにより、洗練された縫合動作をより高い精度、制御及び強度で実施する場合に好適である。
【先行技術文献】
【特許文献】
【０００５】
【特許文献１】実用新案登録第３０６３５１９号公報
【発明の概要】
【発明が解決しようとする課題】
【０００６】
しかし、上述したヘガール型持針器では、縫合施術時の切開部の組織を突き通し、さらに貫いている縫合針を抜く動作を、環指孔に差し入れた親指と薬指で行う必要がある。さらに、縫合のために縫合針を切開部の組織を突き通し、さらに貫いている縫合針を抜く動作のために縫合針を把持したり離したりすることを繰り返すことが必要である。この際、縫合針を把持する時および離す時に、それぞれ、環指孔に差し入れた親指と薬指でフックを外す動作および掛ける動作をする必要がある。
【０００７】
また、ヘガール型持針器では、把持作動時に柄の外側面を押え把持部を把持させるが、柄の外側面の幅が狭いため長時間の使用においては親指や薬指に疲労度が大きくなる問題があった。さらに、組織を突き通し、貫いている縫合針を抜く時など、縫合に力をいれる必要がある場合は、環指孔に差し入れた指を環指孔から抜いて取手部に持ち替える必要がある。このように縫合の効率が悪くなり、縫合施術に時間が掛かるという問題があった。
【０００８】
さらにヘガール型持針器では、環指孔に指を掛けて縫合する場合は持針部との距離が長くなるために、掌中における満足な安定性が得られない場合がある。これに対応して、より高い精度が求められる、より洗練された縫合動作に備えたいという要求がある。
精度を求められた際には、環指孔に指を掛けずに、持針部により近い位置で持針器本体を、ペンホルダ式に把持することになるが、この場合は、針を把持または解放する動作ごとに、グリップを繰り返し変える必要がある。
グリップの変更は、時間を浪費する他、組織の牽引を引き起こすおそれもある。
【０００９】
また、上述したマチュー型持針器では、縫合手術部位に手技者の手が常に近接しているため、視認性が悪くなるおそれがあった。さらに、マチュー型持針器では、縫合手術部位に対して所定の角度を必要とするため、ハンドリング性が悪化する可能性があった。
また、マチュー型持針器では、持針部位とグリップ部位が近接していることにより、口蓋裂治療の手術など、深部組織を縫合する場合に、ハンドリング性がよりいっそう悪化する場合があり、これを改善したいという要求があった。
【００１０】
なお、口蓋裂用持針器として、丹下式持針器が知られているが、当該持針器は、マチュー型持針器であるために、上述したように、縫合手術部位に手技者の手が近接することで、小さな幼児の手術部位を覆い、視認性が悪い、狭部・深部における縫合が不便である、また、材質がステンレスで重い等の改善が、同様に求められている。
【００１１】
また、いずれの持針器でも軽量化が求められている。
【００１２】
本発明は、上記の事情に鑑みてなされたもので、幼児の形成外科手術、特に、口蓋裂症等の手術縫合手技において、幼児の狭い深部の縫合に至便な持針器を提供するという目的を達成しようとするものである。
【課題を解決するための手段】
【００１３】
本発明の手術器具は、中心軸に対して略対称として同一平面内を往復動作可能な二本の脚部からなる手術器具であって、
二本の前記脚部が、それぞれ一端側の挟持部と他端側の環指孔とを有し、
二本の前記脚部が、前記一端側に近接する位置に設けられて前記平面と略直交する方向に延在する軸線を有する回動軸部によって、前記中心軸に対して前記環指孔と反対向きに前記挟持部を開閉可能として枢着され、
二本の前記脚部が、前記一端側と前記他端側とに比べて前記中心軸に沿った方向での中央部における互いの離間距離が拡大するように湾曲し、
前記環指孔が、前記中央部から前記他端側に向かう前記脚部を延長した曲線よりも前記中心軸に対して外側位置として前記平面内に延在して設けられ、
二本の前記脚部の間には、前記他端側に近接する位置に前記挟持部の閉位置において二本の前記脚部どうしを係合可能とする係合部が設けられ、
二本の前記脚部の間には、前記回動軸部よりも前記他端側に近接する位置に前記脚部を互いに離間する方向に付勢するバネが設けられ、
二本の前記脚部における前記中央部が、前記一端側と前記他端側とに比べて前記平面と略直交する方向に幅広な把持部とされる。これにより、鋏式に環指孔に指を通して、従来のヘガール型持針器のように用いることができる。さらに、従来のマチュー型持針器のように、ペンホルダ式に把持部を把持して使用することができる。また、従来のマチュー型持針器のように、シェイクハンド式に把持部を持って用いることを可能とすることができる。
このとき、３タイプのグリップ方式のいずれかにより脚部の他端側を互いに近接させることで、回動軸部を中心として挟持部どうしが近接して、挟持部が例えば縫合針等を挟持することができる。さらに、この状態で係合部を係止することによって、挟持部における挟持状態を維持することができる。また、係合部の係止状態を解除することによってバネの付勢力により、挟持部を開状態とし、例えば挟持していた縫合針を離すことができる。
これにより、従来のヘガール型持針器あるいはマチュー型持針器ではできなかった３タイプのグリップによって使用することができ、手術中に必要な手技における手術器具の制御性、正確性を向上し、ハンドリング性を向上することが可能となる。
つまり、従来のヘガール型持針器で可能となるハンドリング性とマチュー型持針器で可能となるハンドリング性とを同時に実現することが可能となる。
また、挟持部とは反対側となる他端側に環指孔を配置したことによって、従来のマチュー型持針器に比べて長尺のものとすることができるとともに、従来のマチュー型持針器ではできなかった鋏式のグリップで用いることができるため、従来のヘガール型持針器と同等の深部に対する手術に使用することが可能となる。
【００１４】
さらに、従来のヘガール型持針器では難しかったペンホルダ式のグリップを容易とするとともに、従来のマチュー型持針器に比べて長尺のものとすることができる。
【００１５】
さらに、従来のマチュー型持針器のように中央部の把持部でペンホルダ式のグリップを容易とするとともに、従来のマチュー型持針器のようにシェイクハンド式のグリップを可能とし、操作性を向上することができる。
【００１６】
本発明の手術器具は、前記脚部の前記他端側において、前記環指孔の前記一端側が前記中心軸から離間する外側向きに延在する部分を有する。これにより、従来のヘガール型持針器のように、鋏式に環指孔に指を通して用いる際に、環指孔の間の距離が長すぎずまた短かすぎないため、長時間の使用においても操作性を落とさずに精密な使用をおこなうことができる。さらに、従来のマチュー型持針器のように中央部の把持部でペンホルダ式あるいはシェイクハンド式として把持した際に、親指と人差し指の間となる掌の甲、あるいは、掌の手首側を、環指孔の一端側に当接してグリップすることが可能となり、把持状態を安定させることができる。このとき、環指孔の一端側が滑り止めとして作用することが可能である。
【００１７】
本発明の手術器具において、前記脚部の前記他端側において、前記環指孔と前記係合部との間となる前記中心軸に沿った方向に延在する後延長部を有する。これにより、中心軸方向における把持部を後瑞側に延長して、従来のマチュー型持針器に比べて長尺のものとすることができるとともに、従来のマチュー型持針器のように中央部の把持部でペンホルダ式のグリップを容易とするとともに、従来のマチュー型持針器のようにシェイクハンド式のグリップを可能とし、操作性を向上することができる。また、従来のヘガール型持針器と同等の深部に対する手術に使用することが可能となる。
なお、後延長部の長さを設定することで、所定の深部での手術に対応可能とすることが容易に可能となる。
【００１８】
本発明の手術器具は、前記挟持部が、前記平面から交差する方向に向かって湾曲する。これにより、挟持部（ジョー）が縫合針等を好適に挟持することが可能となる。また、略平面内に位置する把持部および環指孔に対して、この平面に交差する方向に挟持部（ジョー）の先端が位置することで、縫合における、ハンドリング性を向上することが可能となる。
【００１９】
また、本発明において、前記把持部における前記中心軸に対する外側面には、前記中心軸と交差する方向に延在する複数の把持容易溝が形成される。これにより、従来のマチュー型持針器のように把持部でペンホルダ式あるいはシェイクハンド式として把持した際に、すべることを防止することが可能となり、精密な手技を可能とすることができる。
【００２０】
本発明の手術器具は、前記把持部には、前記中心軸に対する外側面に前記中心軸と交差する方向に延在する複数の把持容易溝が形成され、
前記挟持部が、前記平面から交差する方向に湾曲し、
前記把持容易溝の延在する方向が、前記挟持部の先端が湾曲する方向に傾斜している。これにより、従来のマチュー型持針器のように把持部でペンホルダ式あるいはシェイクハンド式として把持した際に、すべることを防止することが可能となり、精密な手技を可能とすることができる。
【００２１】
また、本発明の手術器具は、前記係合部が、前記中心軸に沿った方向において前記把持部と一致する位置に設けられる。これにより、前記中心軸に沿った方向において把持部と係合部との距離が縮まって、従来のマチュー型持針器に比べて、小さな把持力で係合部の係止および開放をおこなうことができるとともに、係合部の応答性を向上してハンドリング性を向上することができる。
【００２２】
本発明の手術器具は、チタン合金またはカーボングラファイトを含む材料からなる。これにより、長尺に形成した場合でも、全体の重量を軽量化して、操作性を向上することが可能となる。
【００２３】
本発明の手術器具は、前記中心軸に沿った長さが１８０ｍｍ以上とされる。これにより、従来のマチュー型持針器ではできなかった程度の従来のヘガール型持針器と同等の深部に対する手術に使用することが可能となる。したがって、幼児の形成外科手術、特に、口蓋裂症等の手術縫合手技において、幼児の狭い深部の縫合に至便なものとなる。
【発明の効果】
【００２４】
本発明によれば、以下のことができるという効果を奏することが可能となる。
脚部から環指孔に接続される後延長部の形状を、把持部の他端側となる延長線上に湾曲に配置することで、環指孔どうしの配置寸法が狭まり、把持解放時の環指孔部位の幅が広がらず、操作性が向上する。
係止部が、中心軸に沿った方向で把持部に一致していることにより挟持部における縫合針等の脱着に際しての応答性が向上する。
環指孔を有することで、ヘガール型持針器と同様に鋏式グリップが可能である。
締結等に使用する把持時における環指孔どうし間の距離が、同じ状態における従来のヘガール型持針器での環指孔どうしの距離に比較して狭まるため、指の疲労度を軽減すると共に、手術時における術野の視認性を向上する。
軽量化が可能なことにより操作性の向上を図ることができる。したがって、手術器具の全長を長くして、形成手術等に際して、狭部・深部の縫合術に至便に適用可能な操作性を有することが容易に可能となる。これにより、従来のヘガール型持針器と同等の操作性と、従来のマチュー型持針器の操作性とを併せ持ち、さらにこれらを切り替えて使用できるため、操作性をさらに向上できる。
【図面の簡単な説明】
【００２５】
【図１】本発明に係る手術器具の第１実施形態を示す上面図である。
【図２】本発明に係る手術器具の第１実施形態を示す下面図である。
【図３】本発明に係る手術器具の第１実施形態を示す正面図である。
【図４】本発明に係る手術器具の第１実施形態を示す右側面図である。
【図５】本発明に係る手術器具の第１実施形態を示す左側面図である。
【図６】本発明に係る手術器具の第１実施形態における挟持部を示す正面図である。
【図７】本発明に係る手術器具の第１実施形態における係合部の係止を解除した状態を示す上面図である。
【図８】本発明に係る手術器具の第１実施形態における各寸法を示す上面図（ａ）、正面図（ｂ）である。
【図９】従来のヘガール型持針器における鋏式のグリップ状態を示す斜視図である。
【図１０】従来のマチュー型持針器におけるペンホルダ式のグリップ状態を示す斜視図である。
【図１１】従来のマチュー型持針器におけるシェイクハンド式のグリップ状態を示す斜視図である。
【発明を実施するための形態】
【００２６】
以下、本発明に係る手術器具の第１実施形態を、図面に基づいて説明する。
図１は、本実施形態における手術器具を示す上面図であり、図２は、本実施形態における手術器具を示す下面図であり、図３は、本実施形態における手術器具を示す正面図であり、図４は、本実施形態における手術器具を示す右側面図であり、図５は、本実施形態における手術器具を示す左側面図であり、図６は、本実施形態における手術器具の挟持部を示す正面図であり、図において、符号１０は、手術器具である。
【００２７】
本実施形態に係る手術器具１０は、図１〜図５に示すように、二本の脚部１１ａ，１１ｂが回動軸部１２によって開閉可能として枢着されている。二本の脚部１１ａ，１１ｂは、回動軸部１２を中心として交差し、互いに略平行な状態からＸ字状に両端が離間する状態まで往復動作可能とされている。手術器具１０は、チタン合金またはカーボングラファイトを含む材料からなることができる。
【００２８】
回動軸部１２は、図１，図２における紙面と略直交する方向の軸線を有している。このため、二本の脚部１１ａ，１１ｂは、図１，図２における紙面と平行な平面に沿って往復動作する。
二本の脚部１１ａ，１１ｂは、先端（一端）１０ａ側に挟持部（ジョー）１３が形成されている。挟持部（ジョー）１３は、回動軸部１２よりも先端（一端）１０ａ側に位置する。
【００２９】
挟持部（ジョー）１３は、図３に示すように、図１，図２における紙面と平行な平面に対して、回動軸部１２側よりも先端（一端）１０ａ側が離間するように湾曲している。
挟持部（ジョー）１３は、図６に示すように、脚部１１ａと脚部１１ｂとの対向面によって、縫合針等を挟持可能とされる。脚部１１ａと脚部１１ｂとの対向面が、それぞれ挟持面１３ａ，１３ｂとされている。
挟持面１３ａ，１３ｂは、図１，図２における紙面と垂直な方向における幅寸法が、回動軸部１２側から先端（一端）１０ａ側に向けて減少する。
挟持面１３ａ，１３ｂは、合金による硬質チップ加工（タングステンカーバイド）あるいは、ダイヤモンドチップ加工処理が施されている。
【００３０】
二本の脚部１１ａ，１１ｂは、回動軸部１２の軸線と交差し、図１，図２における紙面と平行な平面に沿った直線である中心軸Ｌ１に対して、それぞれが互いに略対称な形状として構成されている。
二本の脚部１１ａ，１１ｂは、後瑞（他端）１０ｂ側に、それぞれ環指孔（指環）１４ａ，１４ｂが形成されている。
環指孔（指環）１４ａ，１４ｂは、いずれもその全周が、図１，図２における紙面と平行な平面に沿って延在するリング状とされる。環指孔（指環）１４ａ，１４ｂは、その全周で略同一の径方向の幅寸法となるリング状（環状）に形成される。環指孔（指環）１４ａ，１４ｂは、従来のヘガール型持針器における指環と同程度の径寸法とされる。また、リング状とされる環指孔（指環）１４ａ，１４ｂにおける内周の輪郭形状は、術者の使いやすい形状であれば特に限定されない。環指孔１４ａ，１４ｂは、回動軸部１２により挟持部（ジョー）１３と反対向きに開閉可能である。
【００３１】
二本の脚部１１ａ，１１ｂは、図１，図２に示すように、紙面と平行な平面内において、回動軸部１２および環指孔１４ａ，１４ｂよりも、これらの中央位置が中心軸Ｌ１に対して離間するようになめらかに湾曲している。つまり、脚部１１ａは、回動軸部１２で脚部１１ｂと接続される位置から環指孔１４ａに向かって、紙面と平行な平面内における緩やかな略弧状として形成されている。同様に、脚部１１ｂは、回動軸部１２で脚部１１ａと接続される位置から環指孔１４ｂに向かって、紙面と平行な平面内における緩やかな略弧状として形成されている。
【００３２】
環指孔（指環）１４ａ，１４ｂは、いずれも略弧状とされた脚部１１ａ，１１ｂにおいて後瑞１０ｂ側から延長された曲線の外側、つまり、中心軸Ｌ１から離間する位置として設けられている。
なお、二本の脚部１１ａと脚部１１ｂとは、先端（一端）１０ａ側の回動軸部１２で接続される。これに対して、二本の脚部１１ａと脚部１１ｂとは、後瑞（他端）１０ｂ側における環指孔（指環）１４ａ，１４ｂの対向する間の距離、つまり、環指孔１４ａと環指孔１４ｂとにおける回動軸部１２側は、挟持部（ジョー）１３が閉じた状態で、互いに接触しない位置として離間している。
【００３３】
二本の脚部１１ａ，１１ｂは、先端（一端）１０ａ側と後瑞（他端）１０ｂ側との間である中央部の外側が、把持部１５とされている。
把持部１５は、二本の脚部１１ａ，１１ｂにおける外側位置とされ、図１，図２における紙面に沿った方向の離間距離が、回動軸部１２に近接する位置における二本の脚部１１ａ，１１ｂの離間距離よりも大きくなるように形成されている。また、把持部１５は、図１，図２における紙面に沿った方向の離間距離が、内側で対向する環指孔１４ａ，１４ｂの距離よりも大きくなるように形成されている。つまり、二本の脚部１１ａ，１１ｂどうしの離間距離は、回動軸部１２側から把持部１５に向かって拡大し、また、二本の脚部１１ａ，１１ｂどうしの離間距離は、環指孔１４ａ，１４ｂから把持部１５に向かって拡大する。
把持部１５は、図３に示すように、回動軸部１２の軸線方向における幅寸法、つまり、図１，図２における紙面と垂直な方向の幅寸法が、回動軸部１２および環指孔１４ａ，１４ｂよりも大きくなるように形成されている。
【００３４】
把持部１５には、中心軸Ｌ１に対する外側面に、中心軸Ｌ１と交差する方向に延在する複数の把持容易溝１５ｃが形成される。
複数の把持容易溝１５ｃは、互いに平行に、かつ、中心軸Ｌ１に沿った方向の間隔が略均等になるように配置されている。複数の把持容易溝１５ｃは、その延在する方向が挟持部（ジョー）１３において先端１０ａが湾曲する方向に傾斜している。
把持容易溝１５ｃは、把持部１５における中心軸Ｌ１に沿った方向の全域に設けられることもできるが、部分的に設けることもできる。なお、把持容易溝１５ｃは、把持部１５における中心軸Ｌ１に沿った方向の回動軸部１２に近接する側となる領域に設けることで、ペンホルダ式の把持時に好適にグリップ状態を向上することができる。
【００３５】
把持部１５には、中心軸Ｌ１側となる互いに対向する内側に、中心軸Ｌ１に沿った方向における後瑞（他端）１０ｂ側に近接する位置として、挟持部（ジョー）１３の閉位置において、二本の脚部１１ａ，１１ｂどうしを係合可能とする係合部１６が設けられる。
係合部１６には、図１，図２に示すように、脚部１１ａから中心軸Ｌ１に近接する支持部１６ａと、脚部１１ｂから中心軸Ｌ１に近接する支持部１６ｂと、が設けられる。係合部１６における支持部１６ａ，１６ｂの先端には、互いに係合可能なラチェット部１６ｃが設けられている。
【００３６】
支持部１６ａは、その基部が脚部１１ａの内側で、中心軸Ｌ１に沿った方向における把持部１５の後瑞（他端）１０ｂ側位置に接続される。支持部１６ａは、脚部１１ａの内側から中心軸Ｌ１に向かって突出し、先端（一端）１０ａ側に向かって湾曲する。支持部１６ｂは、支持部１６ａと同等の形状でかつ中心軸Ｌ１に対して線対称な構成とされる。
【００３７】
ラチェット部１６ｃは、図１，図２における紙面と垂直な方向から見て互いに重なる部分を有する。ラチェット部１６ｃは、支持部１６ａに連接した部分と支持部１６ｂに連接した部分とにおいて、互いに対向する位置に、それぞれ対応する形状の凹溝と突条とを有している。ラチェット部１６ｃにおける凹溝と突条とは、いずれも中心軸Ｌ１に沿った方向に形成されており、互いに係合可能である。なお、ラチェット部１６ｃにおける凹溝と突条とは、どちらかが平行に複数設けられており、脚部１１ａ，１１ｂどうしの係合状態を調節可能とされている。
【００３８】
また、係合部１６においては、ラチェット部１６ｃにおける凹溝と突条とを互いに離間するように支持部１６ａと支持部１６ｂとを、図１，図２における紙面と垂直な方向に移動させることにより、図７に示すように、ラチェット部１６ｃにおける凹溝と突条との係止を解除状態とすることができる。また、回動軸部１２を中心として脚部１１ａ，１１ｂどうしを回動させて、支持部１６ａと支持部１６ｂとを、図１，図２における紙面に沿った方向に互いに近接させることで、ラチェット部１６ｃにおける凹溝と突条とを係合状態とすることができる。
【００３９】
把持部１５には、中心軸Ｌ１側となる互いに対向する内側に、中心軸Ｌ１に沿った方向における回動軸部１２側に近接する位置として、二本の脚部１１ａ，１１ｂの間に両端が接続されたバネ１７が設けられる。バネ１７は、脚部１１ａ，１１ｂを互いに離間する方向に付勢する。
【００４０】
把持部１５の後瑞（他端）１０ｂ側には、なめらかに湾曲している脚部１１ａ，１１ｂを後瑞（他端）１０ｂ側に向けて延長した後延長部１８が設けられる。後延長部１８は、その先端（一端）１０ａ側が把持部１５に連接され、後瑞（他端）１０ｂ側が環指孔１４ａ，１４ｂにそれぞれ連接されている。後延長部１８は、中心軸Ｌ１に概略沿った方向に延在する。
後延長部１８の先端（一端）１０ａ側となる位置の脚部１１ａ，１１ｂには、係合部１６の支持部１６ａ，１６ｂが接続される。
なお、後延長部１８が係合部１６よりも後瑞（他端）１０ｂ側として説明したが、後延長部１８を把持部１５として使用可能とすることもできる。この場合、係合部１６の接続された位置よりも後瑞（他端）１０ｂ側まで、把持部１５に対応して、図１，図２における紙面と垂直な方向における幅寸法を大きくすることができる。
【００４１】
後延長部１８は、図１，図２に示すように略直線状に形成されることができるが、図１，図２における紙面に沿った方向であれば、直線状以外の形状とすることもできる。この、後延長部１８の長さを設定することで、手術器具１０の全長を調整することができる。また、紙面と平行な平面内において、後延長部１８の中心軸Ｌ１に対する角度を設定することで、環指孔１４ａと環指孔１４ｂとの離間距離を設定することができる。
【００４２】
後延長部１８の後瑞（他端）１０ｂ側において、環指孔１４ａ，１４ｂが中心軸Ｌ１から離間する外側向きに延在する環指孔支持部１４ｅ，１４ｆを有するように接続される。
環指孔支持部１４ｅ，１４ｆは、後延長部１８の延在する方向に対して、図１，図２における紙面に沿った面内で、後延長部１８から離間する方向であれば、特に限定されないが、環指孔１４ａ，１４ｂに術者が指を通す際に支障のでない形状とされることが好ましい。
【００４３】
本実施形態における手術器具１０は、挟持部（ジョー）１３に縫合針等を挟持して、縫合手術に用いる。
この際、環指孔１４ａ，１４ｂを用いて、従来のヘガール型持針器のように、鋏式のグリップを可能とすることができる。また、把持部１５を用いて、従来のマチュー型持針器のようにペンホルダ式のグリップを容易とすることができる。さらに、従来のマチュー型持針器のようにシェイクハンド式のグリップを可能とすることができる。
【００４４】
このとき、３タイプのグリップ方式のいずれかにより脚部１１ａ，１１ｂの後瑞（他端）１０ｂ側を互いに近接させることで、回動軸部１２を中心として挟持部（ジョー）１３における挟持面１３ａと挟持面１３ｂとが互いに近接する。これにより、挟持部（ジョー）１３の挟持面１３ａと挟持面１３ｂとで例えば縫合針等を挟持することができる。
さらに、この状態において、係合部１６のラチェット部１６ｃで凹溝と突条とを係止することによって、挟持部（ジョー）１３における挟持状態を維持することができる。
【００４５】
図７は、本実施形態における手術器具の係止解除状態を示す上面図である。
また、支持部１６ａと支持部１６ｂとを、図１，図２における紙面と垂直な方向に移動させて、係合部１６のラチェット部１６ｃにおける凹溝と突条とを互いに離間する。すると、ラチェット部１６ｃにおける凹溝と突条との係止を解除状態とすることができる。このとき、バネ１７の付勢力により、挟持部（ジョー）１３を開状態として、例えば挟持していた縫合針を離すことができる。
すると、回動軸部１２を中心として脚部１１ａ，１１ｂどうしが回動して、図７に示すように、挟持部（ジョー）１３における挟持状態を解除することができる。
【００４６】
これにより、従来のヘガール型持針器あるいはマチュー型持針器ではできなかった３タイプのグリップによって使用することができる。したがって、手術器具１０およびこれをグリップする術者の手指が手術中に術野に対する視界を遮ることがなく、視認性の悪化を防止することができる。
【００４７】
また、本実施形態における手術器具１０においては、鋏式のグリップとして、環指孔１４ａ，１４ｂに差し入れた親指と薬指でフックを外す動作および掛ける動作をする場合に、環指孔１４ａと環指孔１４ｂとの距離が従来のヘガール型の持針器よりも小さくすることができる。これにより、縫合施術時の切開部の組織を突き通し、さらに貫いている縫合針を抜く動作を、環指孔に差し入れた親指と薬指でおこなう際、および、縫合のために縫合針を切開部の組織を突き通し、さらに貫いている縫合針を抜く動作のために縫合針を把持したり離したりすることを繰り返す際に、親指や薬指に疲労度が大きくなることを防止して、操作性を向上することができる。これにより、精緻な手技をよういにおこなうことが可能となる。
【００４８】
また、幅広の把持部１５を有することで、従来のヘガール型持針器に比べて、長時間の使用において把持作動時に親指や薬指の疲労度が大きくなることを防止できる。これにより、従来のヘガール型持針器に比べて、挟持部（ジョー）１３に近接した位置を把持して、掌中における満足な安定性を得ることが可能となる。したがって、高い精度が求められる、より洗練された縫合動作に備えることができる。さらに、縫合に力をいれる必要がある場合でも、縫合の効率が悪くなり縫合施術に時間が掛かることを防止できる。
【００４９】
また、把持部１５に連続した後延長部１８を有することで、手術器具１０の全長を所望の長さとなるように設定することが容易となる。これにより、処置位置からグリップ位置までが長い、深部における縫合等の処置をおこなうことが容易となる。
把持部１５と後延長部１８とが連続していることにより、後延長部１８をグリップして手術器具１０を使用することもでき、従来のマチュー型持針器に比べて、深部での使用が可能となる。同時に、グリップを持ち替えることなく、そのまま後瑞（他端）１０ｂ側にグリップ位置を移動させるだけでよいため、施術における効率を向上して、手術時間を短縮することができる。
さらに、従来のヘガール型持針器のように、鋏式に環指孔１４ａ，１４ｂに指を通して用いる際に、環指孔１４ａ，１４ｂの間の距離を好適に設定できるため、長時間の使用においても操作性を落とさずに精密な使用を持続することができる。
【００５０】
なお、把持部１５の後瑞（他端）１０ｂ側や、後延長部１８をグリップして用いる場合には、環指孔１４ａ，１４ｂの環指孔支持部１４ｅ，１４ｆをストッパーとして用いることで、手術器具１０のグリップが安定する。これにより、従来のマチュー型持針器のように中央部の把持部１５でペンホルダ式あるいはシェイクハンド式として把持した際に、親指と人差し指の間となる掌の甲、あるいは、掌の手首側を、環指孔１４ａ，１４ｂの環指孔支持部１４ｅ，１４ｆに当接してグリップすることが可能となり、把持状態を安定させることができる。このとき、環指孔の一端側が滑り止めとして作用することが可能である。
これにより、手術中に必要な手技における手術器具１０の制御性、正確性を向上し、ハンドリング性を向上することが可能となる。
また、従来のマチュー型持針器のように、脚部１１ａ，１１ｂの中央部の把持部１５により、ペンホルダ式のグリップを容易とするとともに、従来のマチュー型持針器のようにシェイクハンド式のグリップを可能とし、操作性を向上することができる。
【００５１】
複数の把持容易溝１５ｃが把持部１５に形成されることにより、従来のマチュー型持針器のように把持部１５でペンホルダ式あるいはシェイクハンド式として把持した際に、すべることを防止することが可能となり、精密な手技を可能とすることができる。
係合部１６が中心軸Ｌ１に沿った方向において把持部１５と一致する位置、つまり、係合部１６が把持部１５の内側位置に設けられることにより、係合時に力をかける把持部１５と係合部１６との距離を縮めることができる。したがって、係合部１６の係止および開放を、従来のマチュー型持針器に比べて小さな把持力でおこなうことができるとともに、係合部１６の応答性を向上してハンドリング性を向上することができる。
【００５２】
このように、本実施形態の手術器具１０は、従来のヘガール型持針器で可能となるハンドリング性とマチュー型持針器で可能となるハンドリング性とを同時に実現することが可能となる。これにより、手術中に必要な手技における手術器具の制御性、正確性を向上し、ハンドリング性を向上することが可能となる。
また、先端（一端）１０ａの挟持部１３とは反対側となる後瑞（他端）１０ｂ側に環指孔１４ａ，１４ｂを配置したことによって、従来のマチュー型持針器に比べて長尺のものとすることができる。これにより、手術時における術野の視認性を向上することができる。また、従来のマチュー型持針器ではできなかった鋏式のグリップで用いることが可能なため、従来のヘガール型持針器と同等の深部に対する手術に使用することが可能となる。
【００５３】
本実施形態の手術器具１０は、チタン合金や、カーボングラファイトなど、軽量材料から形成することにより、長尺化した場合でも、軽量化を実現することができ、操作性の向上を図ることができる。したがって、手術器具の全長を長くして、形成手術等に際して、狭部・深部の縫合術に至便に適用可能な操作性を有することが可能となる。これにより、従来のヘガール型持針器と同等の操作性と、従来のマチュー型持針器の操作性とを併せ持ち、さらにこれらを切り替えて使用できるため、さらに操作性を向上できる
締結等に使用する把持時における環指孔１４ａ，１４ｂどうし間の距離が、全長１８０〜２００ｍｍの従来のヘガール型持針器での環指孔どうしの距離に比較して、１０〜１５ｍｍ程度狭まるため、指の疲労度を軽減すると共に、手術時における術野の視認性を向上できる。
【００５４】
さらに、本実施形態の手術器具１０として、たとえば、掌が小さいためにヘガール型持針器の使用が制約されていた女性手技者であっても、当該手術器具１０の特長によりマチュー型持針器の使用を可能とすることができるという効果を奏することが可能である。
【００５５】
なお、本実施形態の手術器具１０として、持針器を例示したが、これ以外の手術用の器具、例えば、鉗子とすることもできる。この場合、挟持部１３にかえて、鉤などを設けることにより、コッヘル鉗子等、その他の挟持機能鉗子への応用も可能とすることができる。
【００５６】
以下、本発明にかかる手術器具１０における各部の寸法を例示する。
【００５７】
図８は、手術器具１０における各部の寸法を示す上面図（ａ）、正面図（ｂ）である。
図８に示すように、本発明の手術器具１０は、中心軸Ｌ１（図１）に沿った長さが１８０ｍｍ以上とされることができるため、狭い深部の縫合が必要な幼児の形成外科手術、特に、口蓋裂症等の手術縫合手技、あるいは、心臓外科の手術縫合手技に用いて好適な寸法を有することができる。
【産業上の利用可能性】
【００５８】
本発明の活用例として、幼児の口蓋裂症等における手術縫合に用いる持針器、あるいは、筋肉層の縫合処置が必要となる耳鼻咽喉外科領域での活用ができる。
【符号の説明】
【００５９】
１０…手術器具
１０ａ…先端（一端）
１０ｂ…後瑞（他端）
１１ａ，１１ｂ…脚部
１２…回動軸部
１３…挟持部（ジョー）
１３ａ，１３ｂ…挟持面
１４ａ，１４ｂ…環指孔（指環）
１４ｅ，１４ｆ…環指孔支持部
１５…把持部
１５ｃ…把持容易溝
１６…係合部
１６ａ，１６ｂ…支持部
１６ｃ…ラチェット部
１７…バネ
１８…後延長部
Ｌ１…中心軸
【図１】
2020130571.tif 000003
【図２】
2020130571.tif 000004
【図３】
2020130571.tif 000005
【図４】
2020130571.tif 000006
【図５】
2020130571.tif 000007
【図６】
2020130571.tif 000008
【図７】
2020130571.tif 000009
【図８】
2020130571.tif 000010
【図９】
2020130571.tif 000011
【図１０】
2020130571.tif 000012
【図１１】
2020130571.tif 000013